(57)【要約】【課題】  フトンバサミにフックを備え、このフックを使うことにより一人でも容易にＴシャツ，ズボンなどの衣類を竿に通して干す通し干しを行なう事ができる様にすること。【解決手段】回動中心部１を中心に回動可能に備えられた２本のアーム２，３と、各々のアームを閉じる方向に力を与えるバネとから成るフトンバサミにおいて、前記アーム２，３の所定位置に竿を掛けるフック５を備える様に構成する。【選択図】図１
2014039788.tif 000002
【特許請求の範囲】
【請求項１】
回動中心部を中心に回動可能に備えられた２本のアームと、各々のアームを閉じる方向に力を与えるバネとから成るフトンバサミにおいて、前記アームの所定位置に竿を掛けるフックを備える様に構成したフック付きフトンバサミ。
【発明の詳細な説明】
【技術分野】
【０００１】  本発明はフック付きフトンバサミに係わり、このフックによりＴシャツ，ズボンなどの衣類を竿（物干し竿）に通して干す通し干しを容易にできる様にしたものに関する。
【背景技術】
【０００２】  Ｔシャツ，ズボンなどを洗濯して干す時は竿に通して干す通し干しをする事があるが、これは子供などに竿の中間部を持たせ、竿の一端部から衣類を通して２人がかりで行なうと楽にできるが、一人で行なう場合は非常に厄介である。
【発明の開示】
【発明が解決しようとする課題】
【０００３】  本発明の目的は、フトンバサミに竿を掛けるフックを備え、このフックを使う事により一人でも容易にＴシャツ，ズボンなどの衣類を竿に通して干す通し干しを行なう事ができる様にするところにある。
【課題を解決する為の手段】
【０００４】  本発明は上記目的を達成する為、回動中心部を中心に回動可能に備えられた２本のアームと、各々のアームを閉じる方向に力を与えるバネとから成るフトンバサミにおいて、前記アームの所定位置に竿を掛けるフックを備える様に構成した。
【発明の効果】
【０００５】  本発明によればフトンバサミに竿を掛けるフックを備えてあるので、このフトンバサミを別の竿（又はロープ）に掛けておけば、衣類を通し干ししようとする竿の一端部を外して、これを前記フトンバサミのフックに掛けて支持する事ができるので、一人でもＴシャツ，ズボンなどの衣類を容易に竿に通して通し干しする事ができる。又、フトンバサミのフックの代りにＳ字フックも代用できるが、Ｓ字フックでは竿が当ると落下する事があるが、フトンバサミのフックではその様な事はない。
【発明を実施する為の形態】
【０００６】  図１は本発明によるフック付きフトンバサミを示し、先ず図１においてこのフトンバサミは回動中心部１を中心に回動可能に備えられた２本のアーム２，３と各々のアームを閉じる方向に力を与えるバネ（一般にはねじりコイルバネであり、回動中心部１に内蔵されている）とから成っており、アーム３（２）の所定部の竿を掛けるフック５を備えてある。
尚、図１（イ）のフトンバサミは回動中心部１を上にして使用する場合のフック５の形状を示してあり、これを逆にして（挟み部４を上にして使用）使用する場合のフック５の形状は図１（ロ）に示してある。そして、そのいずれにも使える場合のフック５の形状を図１（ハ）に示してある。
次に使い方を説明する。即ち、図２（イ）において竿（物干し竿）７，８は支持体６を両側に備えて両端支持されるが、竿７（又はロープでも良い）に図１（イ）のフック付きフトンバサミのアーム２，３を開いて掛け、図示の如く竿８の一端部を外して竿８をフトンバサミのフック５に掛けておき、竿８の一端部からＴシャツ，ズボンなどの衣類を通す。
そして図２（ロ）の如く一方の手で竿８を持ち上げてフック５から外し、もう一方の手で衣類を竿８の中央へ向かって移動させ（フトンバサミの位置を越えるまで移動させる）、手に持っていた竿を再びフトンバサミのフック５に掛ければ、かくして衣類を竿８に通す事ができる。
衣類が何枚かある場合は、以上の動作を繰り返す。衣類を全て通し終えたら竿８を支持体６に掛けて終了である。尚、図１（ロ）のフトンバサミを使用する時は挟み部４を上にして竿７に掛ける（図１（ハ）のフトンバサミの場合は挟み部４の上下は問わない）。
図１（ハ）のフトンバサミが２個ある場合は、互いに上下を逆にして図２（ハ）の如く竿７に掛けておくとフック５（５ａ，５ｂ）の高さに差が現われるので、竿８をフック５ａに掛けると、フック５ｂが邪魔になる事なく衣類９を竿８の一端部から通す事ができる。又、衣類９を図示の如く竿８の一端部を通した後は、竿８をフック５ｂに掛けてフック５ａが邪魔になる事なく衣類９を竿８の中央に向かって移動させる事ができる（図２（ロ）の如く竿８を手で持ち上げて衣類９を移動させる必要はない）。
尚、図２（ハ）で示した方法はフトンバサミを２個使う方法であり、各々のフトンバサミのフックの位置に高さの差があれば良いので、図１（ニ）の如く高さに差があるフック５ａ′，５ｂ′を有するフトンバサミを２個使っても良い。
【０００７】  蒲団をベランダなどでフトン干しする場合、一般にはフトンバサミを使うが、フトン干しベルトの方が強風が吹いても飛ばされる心配がなく、安心である。このフトン干しベルトは一般には図３（イ）の如くベルト部を１つの輪に連結する連結具としてオス型１０とメス型１０′とを有してあり、構造が複雑でコスト高であった。そこで図３（ロ）の如くベルト部に穴１１を有するベルト材を使えば、連結具は図示の如く単純なフック１２で良くコストダウンを図れる。即ち、図３（ハ）の如くベランダの柵に蒲団を掛け、フトン干しベルトを一周させて穴１１にフック１２を嵌め込めば、ベルト部を１つの輪として連結する事ができるのである。
【０００８】  蒲団をベランダの柵などに掛けてフトン干しベルトで縛ってフトン干しする場合、フトン干しベルトを蒲団に一周させる作業は結構しんどい作業であり、途中でフトン干しベルトを落としてしまう失敗もある。
しかし、図１で示したフック付きフトンバサミを使うと簡単にできる様になる。即ち、図４（イ）の如くベランダなどの柵に掛けた蒲団をこのフトンバサミで挟んで固定した後に（フック５を手前側に向ける）、図３（ロ）のフトン干しベルトのフック１２をフトンバサミのフック５に引っ掛け、フトン干しベルトを軽く引っ張りながら蒲団の裏から表まで一周させ（向う側から手前側まで一周させ）、図４（ロ）の如くフトン干しベルトを締め付けながらフック１２を適当な穴１１に嵌め込めば終了である。この様にフトン干しベルトの一端部がフック１２によりフトンバサミのフック５に固定されているから、フトン干しベルトの他端部を持って蒲団を一周させる作業がやり易くなり、簡単になる。又、フトン干しベルトを途中で落としてしまう失敗もない。フトンバサミとフトン干しベルトとにより蒲団が柵にしっかりと固定されるから、蒲団を前方へ長く垂れ下がる様に干しても、強風が吹いても、落下する心配がなく安心である。図３（イ）のフトン干しベルトの場合は図４（ハ）の如くフック１３を備え、これをフトンバサミのフックに引っ掛けて図４（イ），（ロ）と同様に行なう。尚、このフック１３は図４（ニ）の如く連結具（メス型１０′）と一体的に備えても良い。
【０００９】  ところで図４においてフトン干しベルトを使用の後は収納場所が問題となるが、これには図５の如くフトンバサミのアーム２（３）に巻き付け部１４を形成し、ここに巻き付けておくのが良い。即ち、フトン干しベルトのフック１２を巻き付け部１４に引っ掛けて巻き始め、巻き終りのベルト部を巻き付け部１４の溝１５に挟む事によってフトン干しベルトをフトンバサミに収納する様にするのである。尚、フック５に図示の如く溝１６を形成しておくと、この溝１６にフトン干しベルトのベルト部を挟んで固定しておく事ができるので、図３（イ）のフトン干しベルトでも蒲団を一周させて縛る時に便利である（図１のフック５についても溝１６を形成する事ができる）。
【００１０】  一般に傷み易い大切な衣類は洗濯機を使わず手で優しく押し洗いするが、それだけに汚れが落ちにくい欠点がある。この欠点を解消するには図６に示す洗濯補助具を使うのが良い。即ち、図６（イ）においてこの洗濯補助具は多数の孔１８を有する多孔板１７とこの多孔板１７の縁から所定距離内側へ寄った位置から伸びて来る脚板１９とから成り、全体が押したら元に戻るバネ作用を有する様に構成されている。この洗濯補助具は例えば軟質のプラスチック製とし、上から押したら元に戻るバネ作用を有している。図６（イ）の洗濯補助具は全体が円形のものであるが、この他、楕円形のもの、角形のものなども考えられる。次に使い方を説明すると、図７（イ）の如く洗濯容器２０に洗剤と水（湯）を入れて良く混合させ、一番下に洗濯補助具を入れ、その上に衣類を適当な大きさに畳んで（洗濯ネットに入れても良い）乗せる。そして両手で上から衣類を静かに押すと、この洗濯補助具はバネ作用を有するから、多孔板１の下の空間内の洗い水は多数の孔１８を通って上方へ移動し、衣類２１の中を早い速度で通過する。
両手を離すと前記バネ作用により多孔板１７の下の空間内に洗い水が多数の孔１８を通って流れ込むから、この時、衣類２１の中を洗い水が早い速度で通過し、かくして汚れが良く落ちる様になる。洗濯容器２０が小さいサイズの場合は図７（ロ）の如く多孔板１７の縁に近い部分が洗濯容器２０の内側側面に当るが、この部分は柔らかいので容易に変形し、図７（イ）と同様に押し洗いが何ら支障なくできる（脚板１９が多孔板１７の縁から伸びて来る構造であると多孔板１７の縁の部分は剛性が高くなるので、容易には変形せず、相当の力を入れて押し洗いする必要があり、実用的ではない）。この場合、図６（ロ）の如く多孔板１７の縁に近い部分を若干上方へ反らす様に予め形成しておくと、より一層変形し易くなり洗濯容器の各種サイズに適合し易くなる。以上の様に洗濯補助具は洗濯容器２０の各種サイズに拘らずそのまま使用する事ができる。尚、図６の洗濯補助具によれば図７（ハ）の如くＳ字フック２２により竿に掛けてセーターなどの型崩れし易い衣類を平干しする事ができる（枕，ぬいぐるみなども干せる）。この場合、図示はしないが、洗濯補助具に予めフックを備えておけば、Ｓ字フック２２の代りにこれを使用して竿に掛ける事ができる。
【００１１】  尚、図４においてはフック１２（１３）をフトンバサミのフック５に引っ掛けてフトン干しベルトを蒲団の囲りに一周させていたが、フック５がないフトンバサミの場合は巻き付け部１４にフック１２（１３）を引っ掛ければ、同様に蒲団の囲りを一周させる事ができる（又はフトン干しベルトのベルト部を溝１５に差し込んで行なっても良い）。
【００１２】  図５（イ）においては巻き付け部１４は図５（ロ）の如く回動中心を中心に回動可能な構造としても良い。即ち、この巻き付け部１４はフトン干しベルトを巻き付けた後は、矢印の如く回動させてアーム２（３）内へ収納するのである。尚、この構造はフック５がないフトンバサミにも適用できるものである。
【００１３】  一般に図８（イ）の様に吊り下げ用フック部２４（ここに衣類を掛けたハンガーなどを吊す）と支持用フック部２３（竿などに掛け、全体を支持する）とを有するフック、例えばＳ字フックは水平方向の固定力は殆ど無きに等しく、その為に風が吹くと竿の上を移動し、洗濯物が一方の側に集まって乾きにくくなるなどの欠点があった。この欠点を解消するには支持用フック部２３を単なる円形とするのではなく、図８（ロ）の如く直線状の挟み部材２５を各々が所定の角度θを為す様に対向させて備える様にするのが良い。かつ、挟み部材２５には摩擦力を高める為にゴム，エラストマーなどの高摩擦材料２６を備える様にする。前記角度θは余り大きいと摩擦力が十分でなく、小さい程摩擦力は大きくなるが、余り小さいとフック部を竿から外す時に外しにくくなるので、２０°〜６０°位が適当である。
挟み部材２５の断面形状は円形、又は四角形が良い。２７はロープに掛ける部分である。図８（ロ）はＳ字フックに適用したものであるが、図８（ハ）の如くＣ字フックにも適用できるものである。尚、図８（ロ）では吊り下げ用フック部２４を有する平面と支持用フック部２３′を有する平面とは同一平面上にあるが、各々が互いに９０°の角を為す様に構成しても良い（図８（ハ）も同様である）。又、吊り下げ用フック部２４は回転可能に備えても良い。以上の支持用フック部２３′の構造を衣類を掛ける衣類掛けハンガーのフック部として採用した実施例を図８（ニ）に示すが、固定力が強化されるので、強風が吹いても竿上を移動する事がない。図８（ホ）は枕を日光に当てて干す枕干し器を示すものであるが、２つのフック部２８を竿に掛けると従来のフック部２８では竿上を滑って枕支持部材２９が図８（ヘ）の如く深いＵ字形となり、この枕干し器を利用して型崩れし易いセーターなどを干す（平干し）事ができない。しかし、上記支持用フック部２３′の構造を採用すると、図８（ト）の如く固定力が強化されるので、枕支持部材２９は水平に近い浅いＵ字形となり、型崩れし易いセーターなどを干す事ができる。
以上の如く洗濯物などの重量を支える支持用フック部２３′の構造によれば大幅に固定力が強化される。
【図面の簡単な説明】
【００１４】
【図１】  本発明によるフック付きフトンバサミを示す図。
【図２】  フック付きフトンバサミの使用状態を示す図。
【図３】  フトン干しベルトを示す図。
【図４】  フック付きフトンバサミを利用したフトン干しベルトの使用状態を示す図。
【図５】  巻き付け部を有するフトンバサミを示す図。
【図６】  押し洗い補助具を示す図。
【図７】  押し洗い補助具の使用状態を示す図。
【図８】  支持用フック部を示す図。
【符号の説明】１は回動中心部，２・３はアーム，４は挟み部，５はフック，５ａ・５ｂはフック，６は支持体，７・８は竿，９は衣類，１０はオス型，１０′はメス型，１１は穴，１２フック，１３はフック，１４は巻き付け部，１５・１６は溝，１７は多孔板，１８は穴，１９は脚板，２０は洗濯容器，２１は衣類，２２はＳ字フック，２３は支持用フック部，２４は吊り下げ用フック部，２３′は支持用フック部，２５は挟み部材，２６は高摩擦材料，２７はロープに掛ける部分，２８はフック部，２９は枕支持部材である。
【図１】
2014039788.tif 000003
【図２】
2014039788.tif 000004
【図３】
2014039788.tif 000005
【図４】
2014039788.tif 000006
【図５】
2014039788.tif 000007
【図６】
2014039788.tif 000008
【図７】
2014039788.tif 000009
【図８】
2014039788.tif 000010